(57)【要約】【課題】泡を垂れ落とさずに噴射できる泡吐出容器を提供する。【解決手段】泡吐出容器１は、内容液を収容した容器本体２と、容器本体２に装着された吐出器３とを有し、吐出器３は、容器本体２に対するスクイズ操作により、内容液を容器本体２の内部の空気と混合して泡状にし、ノズル４の内部に供給可能な供給部５と、ノズル４の内部に供給された泡状の内容液を蓄圧して外部に噴射可能な蓄圧部１０とを有する。【選択図】図１
2019011118.tif 000002
【特許請求の範囲】
【請求項１】
内容液を収容した容器本体と、
前記容器本体に装着された吐出器とを有し、
前記吐出器は、前記容器本体に対するスクイズ操作により、内容液を前記容器本体の内部の空気と混合して泡状にし、ノズルの内部に供給可能な供給部と、前記ノズルの内部に供給された泡状の内容液を蓄圧して外部に噴射可能な蓄圧部とを有する、泡吐出容器。
【請求項２】
前記蓄圧部は、前記ノズルの内部における泡状の内容液の圧力が所定の圧力まで高まると開いて前記泡状の内容液を外部に噴射するスリットが形成されたスリット弁で構成されている、請求項１に記載の泡吐出容器。
【請求項３】
前記スリット弁は、前記ノズルの基端側に向けて凸状に湾曲する凸状湾曲壁を有し、前記凸状湾曲壁に前記スリットが形成されており、
前記吐出器には、前記容器本体のスクイズ操作後における前記容器本体の復元変形により、外部から前記スリットを通じて吸い込まれた空気を前記容器本体の内部に戻す帰還路が設けられている、請求項２に記載の泡吐出容器。
【請求項４】
前記ノズルの先端部には吐出口が設けられており、
前記蓄圧部は、泡状の内容液を、前記吐出口を貫通するように噴射可能であり、
前記ノズルは、前記吐出口を開閉可能な蓋体を有する、請求項１〜３のいずれか一項に記載の泡吐出容器。
【発明の詳細な説明】
【技術分野】
【０００１】
本開示は、泡吐出容器に関する。
【背景技術】
【０００２】
泡吐出容器として、容器本体に対するスクイズ（圧搾）操作により、内容液を容器本体の内部の空気と混合して泡状にし、ノズルの内部に供給可能な供給部を備えるものが知られている。このような泡吐出容器は、通常、例えば特許文献１に記載されるように、ノズルの先端部が供給部と常時連通した構成を有している。
【先行技術文献】
【特許文献】
【０００３】
【特許文献１】特開２０１５−１４５２５３号公報
【発明の概要】
【発明が解決しようとする課題】
【０００４】
特許文献１に記載されるような従来の泡吐出容器に基づいて、泡状にした内容液（以下、「泡」ともいう）を遠くにジェット状に飛ばせる（噴射できる）ようにする場合、例えばノズル先端部の吐出口を狭めた形状に設定することが考えられる。しかし、このような構成にした場合には、スクイズ操作を最初にする際は、急激に（強く）スクイズすれば泡を勢い良く吐出できるものの、ゆっくりと（弱く）スクイズすると泡を勢い良く吐出できずに吐出口から泡が垂れ落ちてしまう。また、スクイズ操作を連続して行う際は、たとえ急激にスクイズ操作したとしても、まず、前回の操作による吐出後にノズルの内部に残った泡が吐出口から垂れ落ちてから、泡の吐出が始まってしまう。
【０００５】
本開示の目的は、泡を垂れ落とさずに噴射できる泡吐出容器を提供することにある。
【課題を解決するための手段】
【０００６】
泡吐出容器の一態様は、内容液を収容した容器本体と、前記容器本体に装着された吐出器とを有する。前記吐出器は、前記容器本体に対するスクイズ操作により、内容液を前記容器本体の内部の空気と混合して泡状にし、ノズルの内部に供給可能な供給部と、前記ノズルの内部に供給された泡状の内容液を蓄圧して外部に噴射可能な蓄圧部とを有する。
【発明の効果】
【０００７】
本開示によれば、泡を垂れ落とさずに噴射できる泡吐出容器を提供することができる。
【図面の簡単な説明】
【０００８】
【図１】一実施形態に係る泡吐出容器を示す縦断面図である。
【図２】図１の部分拡大図である。
【発明を実施するための形態】
【０００９】
以下、図１を参照して、一実施形態に係る泡吐出容器１について詳細に例示説明する。図１に示すように、本実施形態に係る泡吐出容器１は、内容液を収容した容器本体２と、容器本体２に装着された吐出器３とを有している。内容液は、整髪料又は洗浄剤などであってよいが、これらに限定されない。容器本体２は、本実施形態では、筒状をなす口部２ａと、口部２ａに連なると共に口部２ａより幅が拡大した筒状をなす胴部２ｂと、胴部２ｂの一端を閉塞する底部（図示省略）とからなるボトル状をなしている。しかし、容器本体２の形状は、適宜変更が可能である。容器本体２は、合成樹脂製であってよい。
【００１０】
吐出器３は、容器本体２（の胴部２ｂ）に対するスクイズ操作により、内容液を容器本体２の内部の空気と混合して泡状にし、ノズル４の内部に供給可能な供給部５を有している。本実施形態では、供給部５は、ノズル４の内部に連通する発泡室６と、容器本体２に対するスクイズ操作により容器本体２の内部の内容液を発泡室６に送出可能な送液部７と、容器本体２に対するスクイズ操作により容器本体２の内部の空気を発泡室６に送出可能な送気部８とを有している。発泡室６には２つの発泡部材９が配置されている。各発泡部材９は、本実施形態ではメッシュ部材で構成されている。発泡部材９の数、構成及び位置は、適宜変更が可能である。
【００１１】
吐出器３は、ノズル４の内部に供給された泡状の内容液を蓄圧して外部に噴射可能な蓄圧部１０とを有している。本実施形態では、蓄圧部１０は、ノズル４の内部における泡状の内容液の圧力が所定の圧力まで高まると開いて泡状の内容液を外部に噴射するスリット１１ａが形成されたスリット弁１１で構成されている。スリット１１ａはノズル４の内部における泡状の内容液の圧力が所定の圧力に高まるまでは閉塞している。スリット１１ａは上下方向に延びる一文字形状をなしている。スリット１１ａは一文字形状に限らず、例えば、十文字形状又はＹ字形状等、適宜変更が可能である。スリット弁１１は、ノズル４の基端側に向けて凸状に湾曲する凸状湾曲壁１１ｂを有し、凸状湾曲壁１１ｂにスリット１１ａが形成されている。スリット弁１１は、例えば、合成樹脂製又はゴム製であってよい。
【００１２】
本実施形態では、吐出器３には、容器本体２のスクイズ操作後における容器本体２の復元変形により、外部からスリット１１ａを通じて吸い込まれた空気を（ノズル４の内部に残留した泡状の内容液と共に）容器本体２の内部に戻す帰還路１２が設けられている。帰還路１２には、容器本体２のスクイズ操作時には帰還路１２を閉塞する一方で、容器本体２のスクイズ操作後における容器本体２の復元変形時には帰還路１２を開放する逆止弁１３が配置されている。
【００１３】
本実施形態では、ノズル４の先端部には吐出口１４が設けられている。蓄圧部１０は、図１において破線で示すように、泡状の内容液を、吐出口１４を貫通するように噴射可能である。ノズル４は、吐出口１４を開閉可能な蓋体１５を有している。蓋体１５は、本実施形態のようにヒンジ１６を介してノズル４と一体に設けてもよいし、ノズル４に着脱可能に設けてもよい。
【００１４】
本実施形態では、ノズル４は、供給部５（の発泡室６）に連なるノズル本体１７と、ノズル本体１７に装着されたノズル先端部材１８とを有している。ノズル本体１７は、基端部から先端部に向かってやや上方に傾きつつ側方に延びるストレート状の筒形状をなしている。図２に示すように、ノズル先端部材１８は、外筒１９とスリット弁１１と支持リング２０とを有している。外筒１９は、ノズル本体１７の先端部における外周面に嵌合する嵌合筒１９ａと、嵌合筒１９ａの先端側に連なる支持筒１９ｂと、支持筒１９ｂの先端側に連なるとともに支持筒１９ｂより幅が縮小した中間筒１９ｃと、中間筒１９ｃの先端側に連なるとともに中間筒１９ｃより幅が縮小した先端筒１９ｄと、先端筒１９ｄの先端部にヒンジ１６を介して連結した蓋体１５とを有している。先端筒１９ｄの先端部には、吐出口１４が形成されている。吐出口１４は、ノズル４（ノズル本体４）より幅が縮小した円形をなしている。吐出口１４の形状は、例えば楕円形又は矩形でもよく、変更が可能である。蓋体１５は、吐出口１４に嵌合可能な内側嵌合部１５ａと、中間筒１９ｃの外周面と嵌合可能な外側嵌合部１５ｂと、蓋体１５の開閉のために操作可能な摘み部１５ｃとを有している。内側嵌合部１５ａは、本実施形態では突起からなっているが、例えば筒状の凸部からなっていてもよく、その形状は適宜変更できる。外側嵌合部１５ｂは、本実施形態ではリブからなっており、中間筒１９ｃの外周面に設けた溝に嵌合可能である。しかし、外側嵌合部１５ｂは、例えば、中間筒１９ｃの外周面に設けた２つのリブの間に嵌合可能なリブからなっていてもよく、その形状は適宜変更できる。スリット弁１１は、凸状湾曲壁１１ｂと、凸状湾曲壁１１ｂの外周縁に連なる筒状をなす筒壁１１ｃと、筒壁１１ｃの基端部に連なるフランジ壁１１ｄとからなっている。フランジ壁１１ｄは、支持リング２０によって外筒１９の支持筒１９ｂの内側に固定されている。
【００１５】
図１に示すように、本実施形態では、吐出器３は、容器本体２の口部２ａに装着されると共にノズル本体１７の基端部に連なる装着筒２１を有している。ノズル本体１７の基端部には、発泡室６の上部を構成する筒状の保持壁２２が垂設されている。保持壁２２の外周面の上部には逆止弁１３が嵌合している。保持壁２２の外周面の下部には、垂下部材２３が嵌合している。垂下部材２３は、保持壁２２の外周面の下部に嵌合した中間部材２４と、中間部材２４の外周面の下端部に嵌合した下部部材２５と、下部部材２５に嵌合した吸上げ管２６とを有している。保持壁２２と垂下部材２３とによって、発泡室６が構成されている。垂下部材２３によって、送液部７と送気部８とが構成されている。
【００１６】
本実施形態に係る泡吐出容器１は、ノズル４の内部に供給された泡状の内容液を蓄圧して外部に噴射可能な蓄圧部１０を有しているので、泡を垂れ落とさずに噴射することができる。すなわち、スクイズ操作を最初にする際には、ゆっくりとスクイズした場合でも、泡を蓄圧部１０によって所定の圧力まで蓄圧した後に噴射できるので、泡を吐出口１４から垂れ落とさずに噴射できる。また、スクイズ操作を連続して行う際にも、前回の操作による吐出後にノズルの内部に残った泡を、蓄圧部１０によって所定の圧力まで蓄圧した後に噴射できる。したがって、本実施形態に係る泡吐出容器１は、スクイズ操作を連続して行う際にも、泡を吐出口１４から垂れ落とさずに噴射できる。
【００１７】
本実施形態に係る泡吐出容器１は、蓄圧部１０がスリット弁１１で構成されているので、簡単な構成にも関わらず、泡を垂れ落とさずに噴射することができる。本実施形態に係る泡吐出容器１は、スリット弁１１が、ノズル４の基端側に向けて凸状に湾曲する凸状湾曲壁１１ｂを有し、凸状湾曲壁１１ｂにスリット１１ａが形成されているので、スクイズ操作時にはノズル４の内部で泡を効果的に蓄圧できる一方で、スクイズ操作後の容器本体２の復元変形時にはスリット１１ａをスムーズに開いて空気を外部から導入することができる。本実施形態に係る泡吐出容器１は、蓋体１５で吐出口１４を閉塞できるので、スリット１１ａへの内容液の固着を抑制し、安定した泡の噴射を実現できる。
【００１８】
前記の説明は、一実施形態を示したものにすぎず、特許請求の範囲を限定するものではない。前記の実施形態は、本開示の基礎的事項に基づいて、種々の変更が可能である。
【００１９】
例えば、蓄圧部１０はスリット弁１１に限られない。スリット弁１１の構成は変更が可能である。スクイズ操作後の容器本体２の復元変形により、ノズル４を介さずに外部から空気を容器本体２の内部に導入可能な外気導入経路を設けてもよい。この場合、スクイズ操作時には当該外気導入経路を閉塞する一方で、スクイズ操作後の容器本体２の復元変形時には当該外気導入経路を開放する逆止弁を設けてもよい。ノズル４の先端部に吐出口１４を設けることなく、蓄圧部１０から外部に直接、泡状の内容液を噴射するようにしてもよい。容器本体２は、内容液を収容した内層体と、内層体を収容した外層体とを備え、外層体が、内層体と外層体との間に外部から空気を導入可能な外気導入口を有する二重容器であってもよい。
【符号の説明】
【００２０】
１  泡吐出容器
２  容器本体
２ａ  口部
２ｂ  胴部
３  吐出器
４  ノズル
５  供給部
６  発泡室
７  送液部
８  送気部
９  発泡部材
１０  蓄圧部
１１  スリット弁
１１ａ  スリット
１１ｂ  凸状湾曲壁
１１ｃ  筒壁
１１ｄ  フランジ壁
１２  帰還路
１３  逆止弁
１４  吐出口
１５  蓋体
１５ａ  内側嵌合部
１５ｂ  外側嵌合部
１５ｃ  摘み部
１６  ヒンジ
１７  ノズル本体
１８  ノズル先端部材
１９  外筒
１９ａ  嵌合筒
１９ｂ  支持筒
１９ｃ  中間筒
１９ｄ  先端筒
２０  支持リング
２１  装着筒
２２  保持壁
２３  垂下部材
２４  中間部材
２５  下部部材
２６  吸上げ管
【図１】
2019011118.tif 000003
【図２】
2019011118.tif 000004